(57)【要約】【課題】  プラグの抜き差しから、外部接続コネクタと基板との半田箇所を確実に保護でき、薄型の電子機器に適用して好適な外部接続コネクタの補強構造を提供する。【解決手段】  固定状態で、補強板金１５の天板部１５１では、断面小円状の圧着突起２３、２３が外部接続コネクタ１３に圧着され、断面小円状の係止突起２４、２４によって、外部接続コネクタ１３の左右方向の動きが係止阻止され、断面短冊状の凸段部２５によって、外部接続コネクタ１３の後退が阻止され、かつ、補強板金１５の前壁片１５４では、前側切欠き１５４ａを挟む左右の前向き突起１５４ｂ、１５４ｂが、外部接続コネクタ１３の差込口１３ａをも挟む態様で、コネクタ実装部位に設けられた係止穴２２ｂ、２２ｂに嵌合係止されている。【選択図】図５
2008199229.tif 000002
【特許請求の範囲】
【請求項１】
外部接続コネクタとは別体の補強板金を用いて、電子機器の筐体に実装された外部接続コネクタを補強する外部接続コネクタの補強構造であって、
前記補強板金は、下面に複数の下向き凸部を有する天板部と前記筐体に固定される固定部とを備えてなると共に、前記筐体に位置決めされて実装された前記外部接続コネクタの上に前記天板部が被せられた状態で、前記固定部が前記筐体に固定され、この固定状態で、
前記補強板金の天板部の前記各下向き凸部が前記外部接続コネクタに圧着又は当接されて、前記外部接続コネクタのガタツキや緩みが阻止される構成となっていることを特徴とする外部接続コネクタの補強構造。
【請求項２】
外部接続コネクタとは別体の補強板金を用いて、電子機器の開閉可能な筐体に実装された外部接続コネクタを補強する外部接続コネクタの補強構造であって、
前記補強板金は、下面に複数の下向き凸部を有する天板部と、該天板部の周縁端から下方に折曲立設されて、前記筐体を開けたとき、前記外部接続コネクタと該コネクタまわりの配線部とを外部から見えないように目隠しするための目隠し壁片と、前記筐体に固定される固定部とを備えてなると共に、前記筐体に位置決めされて実装された前記外部接続コネクタの上に前記天板部が被せられ、かつ、前記目隠し壁片によって、前記外部接続コネクタと該コネクタまわりの配線部とが目隠しされた状態で、前記固定部が前記筐体に固定され、この固定状態で、
前記補強板金の天板部の前記各下向き凸部が前記外部接続コネクタに圧着又は当接されて、前記外部接続コネクタのガタツキや緩みが阻止される構成となっていることを特徴とする外部接続コネクタの補強構造。
【請求項３】
外部接続コネクタとは別体の箱蓋形の補強板金を用いて、電子機器の開閉可能な筐体に実装された外部接続コネクタを補強する外部接続コネクタの補強構造であって、
前記補強板金は、下面に複数の下向き凸部を有する概略細長い方形の天板部と、該天板部の各周縁端から下方に折曲立設されて、位置決めのための位置決め壁片及び前記外部接続コネクタと該コネクタまわりの配線部とを目隠しするための目隠し壁片と、前記筐体に固定される固定部とを備えてなると共に、前記筐体に位置決めされて実装された前記外部接続コネクタの上に、前記位置決め壁片によって位置決めされて、前記天板部が被せられ、かつ、前記目隠し壁片によって、前記外部接続コネクタと該コネクタまわりの配線部とが目隠しされた状態で、前記固定部が前記筐体に固定され、この固定状態で、
前記補強板金の天板部の前記各下向き凸部が前記外部接続コネクタに圧着又は当接されて、前記外部接続コネクタのガタツキや緩みが阻止される構成となっていることを特徴とする外部接続コネクタの補強構造。
【請求項４】
外部接続コネクタとは別体の補強板金を用いて、電子機器の筐体に実装された外部接続コネクタを補強する外部接続コネクタの補強構造であって、
前記筐体の壁部のコネクタ実装部位には、嵌合用切欠きと、該嵌合用切欠きを挟む左右の係止穴とが設けられ、
前記外部接続コネクタは、その差込口が、前記コネクタ実装部位に設けられた前記嵌合用切欠きに嵌合された状態で、前記筐体に位置決めされて実装され、
前記補強板金は、下面に複数の下向き凸部を有する天板部と、該天板部の前端縁から下方に折曲立設された前壁片と、前記筐体に固定される固定部とを備え、かつ、前記前壁片には、前記外部接続コネクタの差込口に対応する部位に前側切欠きが設けられ、該前側切欠きの両端部からそれぞれ前方に突出する前向き突起が設けられてなると共に、前記外部接続コネクタの上に前記天板部が被せられ、かつ、前記コネクタ実装部位に設けられた各係止穴に前記前向き突起が嵌合係止された状態で、前記固定部が前記筐体に固定され、この固定状態で、
前記補強板金の天板部では、前記各下向き凸部が前記外部接続コネクタに圧着又は当接され、かつ、前記補強板金の前記前壁片では、前記前側切欠きを挟む左右の前記前向き突起が、前記外部接続コネクタの前記差込口をも挟む態様で、前記コネクタ実装部位に設けられた前記係止穴に嵌合係止されて、前記外部接続コネクタのガタツキや緩みが阻止される構成となっていることを特徴とする外部接続コネクタの補強構造。
【請求項５】
外部接続コネクタとは別体の補強板金を用いて、電子機器の開閉可能な筐体に実装された外部接続コネクタを補強する外部接続コネクタの補強構造であって、
前記筐体の壁部のコネクタ実装部位には、嵌合用切欠きと、該嵌合用切欠きを挟む左右の係止穴とが設けられ、
前記外部接続コネクタは、その差込口が、前記コネクタ実装部位に設けられた前記嵌合用切欠きに嵌合された状態で、前記筐体に位置決めされて実装され、
前記補強板金は、下面に複数の下向き凸部を有する天板部と、該天板部の後端縁から下方に折曲立設されて、前記筐体を開けたとき、前記外部接続コネクタと該コネクタまわりの配線部とを外部から見えないように目隠しするための目隠し壁片と、該天板部の前端縁から下方に折曲立設された前壁片と、前記筐体に固定される固定部とを備え、かつ、前記前壁片には、前記外部接続コネクタの差込口に対応する部位に前側切欠きが設けられ、該前側切欠きの両端部からそれぞれ前方に突出する前向き突起が設けられてなると共に、前記外部接続コネクタの上に前記天板部が被せられ、前記コネクタ実装部位に設けられた各係止穴に前記前向き突起が嵌合係止され、かつ、前記目隠し壁片によって、前記外部接続コネクタと該コネクタまわりの配線部とが目隠しされた状態で、前記固定部が前記筐体に固定され、この固定状態で、
前記補強板金の天板部では、前記各下向き凸部が前記外部接続コネクタに圧着又は当接され、かつ、前記補強板金の前記前壁片では、前記前側切欠きを挟む左右の前記前向き突起が、前記外部接続コネクタの前記差込口をも挟む態様で、前記コネクタ実装部位に設けられた前記係止穴に嵌合係止されて、前記外部接続コネクタのガタツキや緩みが阻止される構成となっていることを特徴とする外部接続コネクタの補強構造。
【請求項６】
外部接続コネクタとは別体の箱蓋形の補強板金を用いて、電子機器の開閉可能な筐体に実装された外部接続コネクタを補強する外部接続コネクタの補強構造であって、
前記筐体の壁部のコネクタ実装部位には、嵌合用切欠きと、該嵌合用切欠きを挟む左右の係止穴とが設けられ、
前記外部接続コネクタは、その差込口が、前記コネクタ実装部位に設けられた前記嵌合用切欠きに嵌合された状態で、前記筐体に位置決めされて実装され、
前記補強板金は、下面に複数の下向き凸部を有する概略細長い方形の天板部と、該天板部の後端縁から下方に折曲立設されて、前記筐体を開けたとき、前記外部接続コネクタと該コネクタまわりの配線部とを外部から見えないように目隠しするための目隠し壁片と、該天板部の左右の側端縁から下方に折曲立設されて、左右方向の位置決めのための端部壁片と、該天板部の前端縁から下方に折曲立設され、前後方向を位置決めするための前壁片と、前記筐体に固定される固定部とを備え、かつ、前記前壁片には、前記外部接続コネクタの差込口に対応する部位に前側切欠きが設けられ、該前側切欠きの両端部からそれぞれ前方に突出する前向き突起が設けられてなると共に、前記外部接続コネクタの上に、前記端部壁片と前壁片とによって位置決めされて、前記天板部が被せられ、前記コネクタ実装部位に設けられた各係止穴に前記前向き突起が嵌合係止され、かつ、前記目隠し壁片によって、前記外部接続コネクタと該コネクタまわりの配線部とが目隠しされた状態で、前記固定部が前記筐体に固定され、この固定状態で、
前記補強板金の天板部では、前記各下向き凸部が前記外部接続コネクタに圧着又は当接され、かつ、前記補強板金の前記前壁片では、前記前側切欠きを挟む左右の前記前向き突起が、前記外部接続コネクタの前記差込口をも挟む態様で、前記コネクタ実装部位に設けられた前記係止穴に嵌合係止されて、前記外部接続コネクタのガタツキや緩みが阻止される構成となっていることを特徴とする外部接続コネクタの補強構造。
【請求項７】
前記補強板金には、前記天板部の端縁から下方に折曲立設されて、位置決めとして機能する位置決め壁片が付設されていて、前記補強板金を取付ける際には、前記外部接続コネクタの上に、前記位置決め壁片によって位置決めされて、前記天板部が被せられた状態で、前記固定部が前記筐体に固定される構成とされていることを特徴とする請求項１、２、４又は５記載の外部接続コネクタの補強構造。
【請求項８】
前記筐体の内部には、電池パックを収納するバッテリ収納部が設けられていて、前記筐体の上面には、エンドユーザが、電池パックを交換するための開閉可能な蓋部が設けられていることを特徴とする請求項２、３、５又は６記載の外部接続コネクタの補強構造。
【請求項９】
前記補強板金の前記固定部は、前記筐体に実装された前記外部接続コネクタの上に前記天板部が被せられた状態で、前記筐体にネジ締めされて固定されることを特徴とする請求項１乃至６の何れか1つに記載の外部接続コネクタの補強構造。
【請求項１０】
前記補強板金の前記固定部には被係止部が設けられ、前記筐体に実装された前記外部接続コネクタの上に前記天板部が被せられた状態で、前記筐体側の係止部に係合されて固定されることを特徴とする請求項１乃至６の何れか1つに記載の外部接続コネクタの補強構造。
【請求項１１】
前記補強板金の前記固定部は、前記天板部の両端部に設けられていて、前記筐体に実装された前記外部接続コネクタの上に前記天板部が被せられた状態で、前記筐体に固定されることを特徴とする請求項９又は１０記載の外部接続コネクタの補強構造。
【請求項１２】
前記補強板金の前記天板部の下面には、前記筐体に実装された前記外部接続コネクタの上面に圧着又は当接されるクッション材が接着されていることを特徴とする請求項１乃至６の何れか1つに記載の外部接続コネクタの補強構造。
【請求項１３】
前記天板部の下面に設けられた前記複数の下向き凸部は、前記補強板金が前記筐体に取付け固定された状態で、前記外部接続コネクタの上面を押さえる少なくとも１つの第１の下向き凸部と、前記外部接続コネクタの左右方向の動きを阻止する少なくとも左右一対の第２の下向き凸部と、前記外部接続コネクタの後退を阻止する第３の下向き凸部とを有してなることを特徴とする請求項１乃至６の何れか1つに記載の外部接続コネクタの補強構造。
【請求項１４】
前記第１又は／及び第２の下向き凸部は、断面小円状の突起からなることを特徴とする請求項１３記載の外部接続コネクタの補強構造。
【請求項１５】
前記第３の下向き凸部は、断面短冊状の凸部からなることを特徴とする請求項１３記載の外部接続コネクタの補強構造。
【請求項１６】
請求項１乃至１５の何れか1つに記載の外部接続コネクタの補強構造を備えてなるとを特徴とする電子機器。
【発明の詳細な説明】
【技術分野】
【０００１】
この発明は、外部接続コネクタの補強構造及び該補強構造を備える電子機器に係り、特に、薄型の電子機器筐体に適用して好適な外部接続コネクタの補強構造及び該補強構造を備える電子機器に関する。
【背景技術】
【０００２】
携帯電話機等の小型電子機器には、当然ながら、小型で軽量の電子部品や機械部品が実装されることとなる。実装される外部接続コネクタについても、例外ではない。ところで、外部接続コネクタは、機器の外部から、プラグの抜き差しが行われるので、特に、小型なもの程、強度が弱く、コンタクト（ソケット端子）や周囲配線や周囲部品が緩み変形し、断線する虞がある。そこで、従来から、この種の外部接続コネクタは、例えば、特許文献１や特許文献２等に開示されているように、何らかの補強が施されている。
【０００３】
ところで、特許文献１や特許文献２に記載の外部接続コネクタの補強構造は、コネクタ本体内部の主としてコンタクト（ソケット端子）を補強するものであるから、コネクタ本体に、補強タブや補強金具が組み込まれる構成となっている。言い換えれば、補強タブや補強金具も、外部接続コネクタの一部なのである。
【０００４】
しかしながら、機器の外部から、プラグの抜き差しによって緩むのは、外部接続コネクタの内部構造だけではない。外部接続コネクタと基板との半田箇所も、プラグの抜き差しによってクラックが生じて断線し、コネクタ破損に至る虞のある箇所である。従来、外部接続コネクタと基板との半田箇所を保護する補強構造として、特許文献３に記載の補強部材が知られている。特許文献３に記載の補強部材には、天板部から上方に高く突出するばね部が一体形成されており、このばね部が、上方のサブフレームに突き当たることによって、上方のサブフレームから、ばね部を介して押圧力を受け、補強部材の固定の一助となる構成となっている。
【特許文献１】特開２００１−０３５６０３号公報
【特許文献２】特開２００３−０９２１５９号公報
【特許文献３】特開２００２−０７５５５９号公報
【発明の開示】
【発明が解決しようとする課題】
【０００５】
しかしながら、特許文献３に記載の補強部材には、上記したように、天板部から上方高くにばね部が突出する構成であるため、薄型の電子機器には採用できない、という不具合がある。
加えて、固定フレーム等の下ではなく、例えば、電池パック収納部の開閉蓋の下に実装される外部接続コネクタの補強構造用としては、ばね部を備える上記補強部材は不向きである。さらに、薄型の筐体では、筐体の側壁から、樹脂を庇状に回り込ませて、押さえ機能を持たせることも不可能である。
【０００６】
この発明は、上述の事情に鑑みてなされたもので、プラグの抜き差しから、外部接続コネクタと基板との半田箇所を確実に保護することができ、薄型の電子機器筐体に適用して好適な外部接続コネクタの補強構造及び該補強構造を備える電子機器を提供することを目的としている。
【課題を解決するための手段】
【０００７】
上記課題を解決するために、請求項１記載の発明は、外部接続コネクタとは別体の補強板金を用いて、電子機器の筐体に実装された外部接続コネクタを補強するための外部接続コネクタの補強構造に係り、前記補強板金は、下面に複数の下向き凸部を有する天板部と、前記筐体に固定される固定部とを備えてなると共に、前記筐体に位置決めされて実装された前記外部接続コネクタの上に、前記天板部が被せられた状態で、前記固定部が前記筐体に固定され、この固定状態で、前記補強板金の天板部の前記各下向き凸部が、前記外部接続コネクタに圧着又は当接されて、前記外部接続コネクタのガタツキや緩みが阻止される構成となっていることを特徴としている。
【０００８】
また、請求項２記載の発明は、外部接続コネクタとは別体の補強板金を用いて、電子機器の開閉可能な筐体に実装された外部接続コネクタを補強するための外部接続コネクタの補強構造に係り、前記補強板金は、下面に複数の下向き凸部を有する天板部と、該天板部の周縁端から下方に折曲立設されて、前記筐体を開けたとき、前記外部接続コネクタと該コネクタまわりの配線部とを外部から見えないように目隠しするための目隠し壁片と、前記筐体に固定される固定部とを備えてなると共に、前記筐体に位置決めされて実装された前記外部接続コネクタの上に前記天板部が被せられ、かつ、前記目隠し壁片によって、前記外部接続コネクタと該コネクタまわりの配線部とが目隠しされた状態で、前記固定部が前記筐体に固定され、この固定状態で、前記補強板金の天板部の前記各下向き凸部が前記外部接続コネクタに圧着又は当接されて、前記外部接続コネクタのガタツキや緩みが阻止される構成となっていることを特徴としている。
【０００９】
また、請求項３記載の発明は、外部接続コネクタとは別体の箱蓋形の補強板金を用いて、電子機器の開閉可能な筐体に実装された外部接続コネクタを補強する外部接続コネクタの補強構造に係り、前記補強板金は、下面に複数の下向き凸部を有する概略細長い方形の天板部と、該天板部の各周縁端から下方に折曲立設されて、位置決めのための位置決め壁片及び前記外部接続コネクタと該コネクタまわりの配線部とを目隠しするための目隠し壁片と、前記筐体に固定される固定部とを備えてなると共に、前記筐体に位置決めされて実装された前記外部接続コネクタの上に、前記位置決め壁片によって位置決めされて、前記天板部が被せられ、かつ、前記目隠し壁片によって、前記外部接続コネクタと該コネクタまわりの配線部とが目隠しされた状態で、前記固定部が前記筐体に固定され、この固定状態で、前記補強板金の天板部の前記各下向き凸部が前記外部接続コネクタに圧着又は当接されて、前記外部接続コネクタのガタツキや緩みが阻止される構成となっていることを特徴としている。
【００１０】
請求項４記載の発明は、外部接続コネクタとは別体の補強板金を用いて、電子機器の筐体に実装された外部接続コネクタを補強する外部接続コネクタの補強構造に係り、前記筐体の壁部のコネクタ実装部位には、嵌合用切欠きと、該嵌合用切欠きを挟む左右の係止穴とが設けられ、前記外部接続コネクタは、その差込口が、前記コネクタ実装部位に設けられた前記嵌合用切欠きに嵌合された状態で、前記筐体に位置決めされて実装され、前記補強板金は、下面に複数の下向き凸部を有する天板部と、該天板部の前端縁から下方に折曲立設された前壁片と、前記筐体に固定される固定部とを備え、かつ、前記前壁片には、前記外部接続コネクタの差込口に対応する部位に前側切欠きが設けられ、該前側切欠きの両端部からそれぞれ前方に突出する前向き突起が設けられてなると共に、前記外部接続コネクタの上に前記天板部が被せられ、かつ、前記コネクタ実装部位に設けられた各係止穴に前記前向き突起が嵌合係止された状態で、前記固定部が前記筐体に固定され、この固定状態で、前記補強板金の天板部では、前記各下向き凸部が前記外部接続コネクタに圧着又は当接され、かつ、前記補強板金の前記前壁片では、前記前側切欠きを挟む左右の前記前向き突起が、前記外部接続コネクタの前記差込口をも挟む態様で、前記コネクタ実装部位に設けられた前記係止穴に嵌合係止されて、前記外部接続コネクタのガタツキや緩みが阻止される構成となっていることを特徴としている。
【００１１】
また、請求項５記載の発明は、外部接続コネクタとは別体の補強板金を用いて、電子機器の開閉可能な筐体に実装された外部接続コネクタを補強する外部接続コネクタの補強構造に係り、前記筐体の壁部のコネクタ実装部位には、嵌合用切欠きと、該嵌合用切欠きを挟む左右の係止穴とが設けられ、前記外部接続コネクタは、その差込口が、前記コネクタ実装部位に設けられた前記嵌合用切欠きに嵌合された状態で、前記筐体に位置決めされて実装され、前記補強板金は、下面に複数の下向き凸部を有する天板部と、該天板部の後端縁から下方に折曲立設されて、前記筐体を開けたとき、前記外部接続コネクタと該コネクタまわりの配線部とを外部から見えないように目隠しするための目隠し壁片と、該天板部の前端縁から下方に折曲立設された前壁片と、前記筐体に固定される固定部とを備え、かつ、前記前壁片には、前記外部接続コネクタの差込口に対応する部位に前側切欠きが設けられ、該前側切欠きの両端部からそれぞれ前方に突出する前向き突起が設けられてなると共に、前記外部接続コネクタの上に前記天板部が被せられ、前記コネクタ実装部位に設けられた各係止穴に前記前向き突起が嵌合係止され、かつ、前記目隠し壁片によって、前記外部接続コネクタと該コネクタまわりの配線部とが目隠しされた状態で、前記固定部が前記筐体に固定され、この固定状態で、前記補強板金の天板部では、前記各下向き凸部が前記外部接続コネクタに圧着又は当接され、かつ、前記補強板金の前記前壁片では、前記前側切欠きを挟む左右の前記前向き突起が、前記外部接続コネクタの前記差込口をも挟む態様で、前記コネクタ実装部位に設けられた前記係止穴に嵌合係止されて、前記外部接続コネクタのガタツキや緩みが阻止される構成となっていることを特徴としている。
【００１２】
また、請求項６記載の発明は、外部接続コネクタとは別体の箱蓋形の補強板金を用いて、電子機器の開閉可能な筐体に実装された外部接続コネクタを補強する外部接続コネクタの補強構造に係り、前記筐体の壁部のコネクタ実装部位には、嵌合用切欠きと、該嵌合用切欠きを挟む左右の係止穴とが設けられ、前記外部接続コネクタは、その差込口が、前記コネクタ実装部位に設けられた前記嵌合用切欠きに嵌合された状態で、前記筐体に位置決めされて実装され、前記補強板金は、下面に複数の下向き凸部を有する概略細長い方形の天板部と、該天板部の後端縁から下方に折曲立設されて、前記筐体を開けたとき、前記外部接続コネクタと該コネクタまわりの配線部とを外部から見えないように目隠しするための目隠し壁片と、該天板部の左右の側端縁から下方に折曲立設されて、左右方向の位置決めのための端部壁片と、該天板部の前端縁から下方に折曲立設され、前後方向を位置決めするための前壁片と、前記筐体に固定される固定部とを備え、かつ、前記前壁片には、前記外部接続コネクタの差込口に対応する部位に前側切欠きが設けられ、該前側切欠きの両端部からそれぞれ前方に突出する前向き突起が設けられてなると共に、前記外部接続コネクタの上に、前記端部壁片と前壁片とによって位置決めされて、前記天板部が被せられ、前記コネクタ実装部位に設けられた各係止穴に前記前向き突起が嵌合係止され、かつ、前記目隠し壁片によって、前記外部接続コネクタと該コネクタまわりの配線部とが目隠しされた状態で、前記固定部が前記筐体に固定され、この固定状態で、前記補強板金の天板部では、前記各下向き凸部が前記外部接続コネクタに圧着又は当接され、かつ、前記補強板金の前記前壁片では、前記前側切欠きを挟む左右の前記前向き突起が、前記外部接続コネクタの前記差込口をも挟む態様で、前記コネクタ実装部位に設けられた前記係止穴に嵌合係止されて、前記外部接続コネクタのガタツキや緩みが阻止される構成となっていることを特徴としている。
【００１３】
また、請求項７記載の発明は、請求項１、２、４又は５記載の外部接続コネクタの補強構造に係り、前記補強板金には、前記天板部の端縁から下方に折曲立設されて、位置決めとして機能する位置決め壁片が付設されていて、前記補強板金を取付ける際には、前記外部接続コネクタの上に、前記位置決め壁片によって位置決めされて、前記天板部が被せられた状態で、前記固定部が前記筐体に固定される構成とされていることを特徴としている。
【００１４】
また、請求項８記載の発明は、請求項２、３、５又は６記載の外部接続コネクタの補強構造に係り、前記筐体の内部には、電池パックを収納するバッテリ収納部が設けられていて、前記筐体の上面には、エンドユーザが、電池パックを交換するための開閉可能な蓋部が設けられていることを特徴としている。
【００１５】
また、請求項９記載の発明は、請求項１乃至６の何れか1つに記載の外部接続コネクタの補強構造に係り、前記補強板金の前記固定部が、前記筐体に実装された前記外部接続コネクタの上に前記天板部が被せられた状態で、前記筐体にネジ締めされて固定されることを特徴としている。
【００１６】
また、請求項１０記載の発明は、請求項１乃至６の何れか1つに記載の外部接続コネクタの補強構造に係り、前記補強板金の前記固定部には被係止部が設けられ、前記筐体に実装された前記外部接続コネクタの上に前記天板部が被せられた状態で、前記筐体側の係止部に係合されて固定されることを特徴としている。
【００１７】
また、請求項１１記載の発明は、請求項９又は１０記載の外部接続コネクタの補強構造に係り、前記補強板金の前記固定部が、前記天板部の両端部に設けられていて、前記筐体に実装された前記外部接続コネクタの上に前記天板部が被せられた状態で、前記筐体に固定されることを特徴としている。
【００１８】
また、請求項１２記載の発明は、請求項１乃至６の何れか1つに記載の外部接続コネクタの補強構造に係り、前記補強板金の前記天板部の下面には、前記筐体に実装された前記外部接続コネクタの上面に圧着又は当接されるクッション材が接着されていることを特徴としている。
【００１９】
また、請求項１３記載の発明は、請求項１乃至６の何れか1つに記載の外部接続コネクタの補強構造に係り、前記天板部の下面に設けられた前記複数の下向き凸部は、前記補強板金が前記筐体に取付け固定された状態で、前記外部接続コネクタの上面を押さえる少なくとも１つの第１の下向き凸部と、前記外部接続コネクタの左右方向の動きを阻止する少なくとも左右一対の第２の下向き凸部と、前記外部接続コネクタの後退を阻止する第３の下向き凸部とを有してなることを特徴としている。
【００２０】
また、請求項１４記載の発明は、請求項１３記載の外部接続コネクタの補強構造に係り、前記第１又は／及び第２の下向き凸部が、断面小円状の突起からなることを特徴としている。
【００２１】
また、請求項１５記載の発明は、請求項１３記載の外部接続コネクタの補強構造に係り、前記第３の下向き凸部が、断面短冊状の凸部からなることを特徴としている。
【００２２】
また、請求項１６記載の発明は、電子機器に係り、請求項１乃至１５の何れか1つに記載の外部接続コネクタの補強構造を備えてなるとを特徴としている。
【発明の効果】
【００２３】
この発明の構成によれば、補強板金の固定状態では、補強板金の天板部の各下向き凸部が、外部接続コネクタに圧着又は当接されるので、高さを必要とするばね部も、筐体の側壁からの樹脂の回り込みもなくても、外部接続コネクタのガタツキや緩みが阻止することができる。
それゆえ、プラグの抜き差しから、外部接続コネクタと基板との半田箇所を確実に保護することができ、薄型の電子機器筐体に適用して好適である。
【発明を実施するための最良の形態】
【００２４】
携帯電話機等の電子機器を構成する筐体の壁部のコネクタ実装部には、嵌合用切欠きと、該嵌合用切欠きを挟む左右の係止穴とが設けられている。
外部接続コネクタは、その差込口が上記コネクタ実装部位に設けられた上記嵌合用切欠きに嵌合された状態で、上記筐体に位置決めされて実装されている。
この発明の好適な形態としての補強板金は、下面に複数の下向き凸部を有する天板部と、該天板部の前端縁から下方に折曲立設された前壁片と、上記天板部の両端部に設けられ、上記筐体にネジ締め固定される一対の固定部とを備え、かつ、上記前壁片には、上記外部接続コネクタの差込口に対応する部位に前側切欠きが設けられ、該前側切欠きの両端部からそれぞれ前方に突出する前向き突起が設けられてなると共に、上記外部接続コネクタの上に上記天板部が被せられ、かつ、上記コネクタ実装部位に設けられた各係止穴に上記前向き突起が嵌合係止された状態で、左右一対の上記固定部が上記筐体にネジ締め固定されている。
【００２５】
かくして、この固定状態で、上記補強板金の天板部では、上記各下向き凸部が上記外部接続コネクタに圧着又は当接され、かつ、上記補強板金の上記前壁片では、上記前側切欠きを挟む左右の上記前向き突起が、上記外部接続コネクタの上記差込口をも挟む態様で、上記コネクタ実装部位に設けられた上記係止穴に嵌合係止されて、上記外部接続コネクタのガタツキや緩みが阻止される構成となっている。
【００２６】
ここで、上記天板部の下向き凸部として、好適な構成は、上記補強板金が上記筐体に取付け固定された状態で、上記外部接続コネクタの上面を押付ける左右一対の断面小円状の圧着突起（第１の下向き凸部）と、上記外部接続コネクタの左右方向の動きを阻止する左右一対の断面小円状の係止突起（第２の下向き凸部）と、上記外部接続コネクタの後退を阻止する断面短冊状の凸段部（第３の下向き凸部）とからなる。ここで、右側の係止突起と左側の係止突起までの隔たりは、右側の圧着突起と左側の圧着突起までの隔たりよりも長く設定され、右側の係止突起は外部接続コネクタの左端部に当接されて、左側の係止突起は外部接続コネクタの右端部に当接されるのが好ましい。
【実施例１】
【００２７】
図１は、この発明の第１実施例に係る折畳式携帯電話機の表側外観構成を示す斜視図、図２は、同携帯電話機の裏側外観構成を示す斜視図、図３は、同携帯電話機の裏側外観構成を一部分解して示す分解斜視図、また、図４は、この発明の第１実施例に係る同携帯電話機の下部筐体を構成するケースの構成を示す斜視図である。
また、図５は、この発明の第１実施例である外部接続コネクタの補強構造を分解して示す概略構成図で、同携帯電話機に組み込まれる外部接続コネクタの補強構造を示す分解斜視図、図６は、同外部接続コネクタの補強構造に用いられる補強板金の構成を上方（表面側）から見た斜視図、図７は、同補強板金の構成を下方（裏面側）から見た斜視図、図８は、同外部接続コネクタの補強構造を示す平面図、図９は、図８のＡ−Ａ線に沿う同外部接続コネクタの補強構造を示す断面図、図１０は、図８のＢ−Ｂ線に沿う同外部接続コネクタの補強構造を示す断面図、図１１は、図８のＣ−Ｃ線に沿う同外部接続コネクタの補強構造を示す断面図、また、図１２は、図８のＤ−Ｄ線に沿う同外部接続コネクタの補強構造を示す断面図である。
【００２８】
まず、図１乃至図３を参照して、この例の外部接続コネクタの補強構造が適用される折畳式の携帯電話機１の概略構成について説明する。
この携帯電話機１は、図１乃至図３に示すように、上部筐体２と下部筐体３とがヒンジ部４を介して折畳み自在に結合されて構成されている。
上部筐体２には、表示パネル５や図示せぬスピーカ等が搭載されていて、また、下部筐体３には、キー操作部６、カメラ７、電池パック８、マイクロホン、図示せぬ制御部、及び無線部等が搭載されている。上記下部筐体３は、上述の各部、各部品を搭載装着するためのケース９と、カメラ７が装着されたケースカバー１０と、電池パック８交換用の開閉蓋１１とから構成されている。上記ケース９は、例えばＡＢＳ樹脂等の合成樹脂フレームと金属板とから構成されている。
【００２９】
ケース９の図３中上半部には、ＣＰＵ（中央処理装置）やメモリ等からなる制御部が搭載された図示せぬ主回路基板（マザーボード）が収納され、同図中（下端部を除く）概略下半部には、電池パック８を収納する電池パック収納部１２が設けられている。また、同図中下端部には、この例の外部接続コネクタ１３の補強構造１４が組み込まれている（図５、図８乃至図１２）。この補強構造１４では、開閉蓋１１を開けて、電池パック８を取り除いても、美観上及び機器の破損防止上の観点から、ＳＩＭ（Subscriber Identity Module）カードコネクタ等の外部接続コネクタ１３や周辺部品及び周辺配線構造が外部から見えないように、後述するように、補強板金１５の天板部１５１（図３）と目隠し壁片１５２とで、目隠しされる構成となっている。
【００３０】
上記外部接続コネクタ１３は、図９及び図１０に示すように、コネクタ搭載（フレキシブル）基板１６に実装されている。このコネクタ実装基板１６には、外部接続コネクタ１３の他にも、図５、図９及び図１０に示すように、シリコンマイク１７や、このシリコンマイク１７の上面にスペーサ１８を介して搭載されたスタッキングコネクタ１９等も実装されている。このコネクタ実装基板１６は、上述の外部接続コネクタ１３、シリコンマイク１７、スペーサ１８、スタッキングコネクタ１９等を実装した状態で、ケース９の下端部に設けられた高さの低い隔壁２０（図４）で画成された短冊状の基板収納部２１（図４）に位置決めされて収納されている。ここで、上記スタッキングコネクタ１９は、ケース９の裏面に貼着された図示せぬキーフレキシブル基板と、ＣＰＵ（中央処理装置）やメモリ等からなる制御部が搭載された図示せぬ主回路基板（マザーボード）との間を接続する役割を担っている。
【００３１】
次に、図４乃至図１２を参照して、この例の外部接続コネクタの補強構造について、詳述する。
短冊状の基板収納部２１の外側を画成する、ケース９の前端側壁部２２のうち、外部接続コネクタ１３が実装される部位には、図４及び図５に示すように、外部接続コネクタ１３の差込口１３ａが嵌合される嵌合用切欠き２２ａと、この嵌合用切欠き２２ａを挟む左右の係止穴２２ｂ、２２ｂとが設けられている。各係止穴２２ｂは、前端側壁部２２の樹脂成形部分を隔てて、対応する嵌合用切欠き２２ａの近傍に設けられている。
【００３２】
外部接続コネクタ１３は、その差込口１３ａが、前端側壁部２２のコネクタ実装部位に設けられた嵌合用切欠き２２ａに嵌合された状態で、短冊状の基板収納部２１に位置決めされて実装されている。
【００３３】
この例の補強板金１５は、図６及び図７に示すように、下面に複数の下向き凸部２３、２４、２５を有する概略細長い方形の天板部１５１と、この天板部１５１の後端縁から下方に折曲立設されて、ケース９（電池パック収納部１２）の開閉蓋１１を開けたとき、外部接続コネクタ１３や、コネクタ実装基板１６、スタッキングコネクタ１９等の周辺部品及び周辺配線構造とを外部から見えないように目隠しするための目隠し壁片１５２と、天板部１５１の左右の側端縁から下方に折曲立設されて、左右方向の位置決めのための端部壁片１５３と、天板部１５１の前端縁から下方に折曲立設され、前後方向を位置決めするための前壁片１５４と、天板部１５１の両端部に設けられていて、ケース９（基板収納部２１）の両端部に設けられたネジボス２６にネジ締め２６ａされて固定される固定部１５５とを備え、かつ、前壁片１５４には、外部接続コネクタ１３の差込口１３ａに対応する部位に前側切欠き１５４ａが設けられ、この前側切欠き１５４ａの両端部からそれぞれ前方に突出する前向き突起１５４ｂ、１５４ｂが設けられて箱蓋形状に構成されている。
【００３４】
ここで、上記天板部１５１に凸設される下向き凸部２３、２４、２５は、具体的には、補強板金１５がケース９に取付け固定された状態で、外部接続コネクタ１３の上面を押付ける左右一対の断面小円状の圧着突起２３、２３と、外部接続コネクタ１３の左右方向の動きを阻止する左右一対の断面小円状の係止突起２４、２４と、外部接続コネクタの後退を阻止する断面短冊状の凸段部２５とからなっている。ここで、右側の係止突起２４と左側の係止突起２４までの隔たりは、右側の圧着突起２３と左側の圧着突起２３までの隔たりよりも長く設定され、右側の係止突起２４は外部接続コネクタ１３の左端部に当接され、左側の係止突起１７は外部接続コネクタ２４の右端部に当接される構成となっている。
【００３５】
上記構成の補強板金１５は、外部接続コネクタ１３及びスタッキングコネクタ１９の上に、端部壁片１５３と前壁片１５４とによって位置決めされて、天板部１５１が被せられ、コネクタ実装部位に設けられた各係止穴２２ｂ、２２ｂに前向き突起１５４ｂ、１５４ｂが嵌合係止され、かつ、目隠し壁片１５２によって、外部接続コネクタ１３とスタッキングコネクタ１９等の外部接続コネクタ１３まわりの配線部とが目隠しされた状態で、固定部１５５がケース９の両端部のネジボス２６にネジ締め２６ａされて固定されている。
【００３６】
この固定状態で、補強板金１５の天板部１５１では、断面小円状の圧着突起２３、２３が外部接続コネクタ１３に圧着され、断面小円状の係止突起２４、２４によって、外部接続コネクタ１３の左右方向の動きが係止阻止され、断面短冊状の凸段部２５によって、外部接続コネクタ１３の後退が阻止され、かつ、補強板金１５の前壁片１５４では、前側切欠き１５４ａを挟む左右の前向き突起１５４ｂ、１５４ｂが、外部接続コネクタ１３の差込口１３ａをも挟む態様で、コネクタ実装部位に設けられた係止穴２２ｂ、２２ｂに嵌合係止されている。
【００３７】
この例の構成によれば、補強板金の固定状態では、補強板金の天板部の各下向き凸部が、外部接続コネクタに圧着又は当接されるので、高さを必要とするばね部も、筐体の側壁からの樹脂の回り込みもなくても、外部接続コネクタのガタツキや緩みが阻止することができるので、薄型の電子機器筐体に好適に適用でき、プラグの抜き差しから、外部接続コネクタと基板との半田箇所を確実に保護することができ、半田箇所のクラックに起因する断線やコネクタ破損を防止できる。
【００３８】
加えて、この例の構成のように、外部接続コネクタ１３の差込口１３ａから固定部１５５、１５５までの距離が離れ過ぎている場合でも、左右の前向き突起１５４ｂ、１５４ｂが、補強板金１５の前壁片１５４に設けられていて、外部接続コネクタ１３の差込口１３ａ近傍のコネクタ実装部位に設けられた係止穴２２ｂ、２２ｂに嵌合係止される構成となっているので、プラグの抜き差しによっても、上下方向の撓みやあおりを防止できるので、剛性を確実に維持できる。
また、この例の補強構造１４によれば、開閉蓋１１を開けて、電池パック８を取り除いても、補強板金１５の天板部１５１（図３）と目隠し壁片１５２とで、外部接続コネクタ１３や周辺部品及び周辺配線構造は、外部から見えないように目隠しされているので、美観を保つことができ、機器の破損を防止することもできる。
【実施例２】
【００３９】
図１３は、この発明の第２実施例である外部接続コネクタの補強構造に用いられる補強板金１５Ａの構成を上方（表面側）から見た斜視図、また、図１４は、同補強板金１５Ａの構成を下方（裏面側）から見た斜視図である。
この第２実施例では、前壁片１５４の前向き突起１５４ｂ、１５４ｂとコネクタ実装部位に設けられた係止穴２２ｂ、２２ｂとを廃し、代わりに、第１実施例では、天板部１５１の圧着突起２３、２３が左右一対設けられていたのに対して、左右二対の圧着突起２３、２３、２３ａ、２３ａ設けるようにした点である。この例では、圧着突起２３ａ、２３ａは、図１３及び図１４に示すように、外部接続コネクタ１３の差込口１３ａ近傍に設けられている。この第２実施例の構成によれば、外部接続コネクタ１３の差込口１３ａから固定部１５５、１５５までの距離が離れ過ぎている場合でも、外部接続コネクタ１３の差込口１３ａ近傍の領域が、天板部１５Ａの圧着突起２３ａ、２３ａによって圧着されるので、プラグの抜き差しによっても、上下方向の撓みやあおりを防止できるので、剛性を確実に維持できる。
【実施例３】
【００４０】
図１５は、この発明の第３実施例である外部接続コネクタの補強構造を部分的に示す部分断面図である。この例の構成が上記した第１実施例の構成と異なるところは、ネジ締め２６ａ固定に代えて、この例の補強板金１５Ｂの固定部１５５ａには被係止穴２７ａが設けられ、ケース９ａ側に係止爪２７ｂを設けるようにした点である。このようにしても、第１実施例で述べたと略同様の効果を得ることができる。
【００４１】
以上、この発明の実施例を図面を参照して詳述してきたが、具体的な構成はこの実施例に限られるものではなく、この発明の要旨を逸脱しない範囲の設計の変更等があってもこの発明に含まれる。
圧着突起及び係止突起の個数は、一対又は二対に限定されず、必要に応じて、増減できる。凸段部の個数についても同様である。凸段部に代えて、断面小円状の突起を用いるようにしても良い。天板部の下面に摺動防止用にクッション（滑り止め）材を貼着するようにしても良い。また、必要に応じて、目隠し壁片を省略できる。また、電子機器は、携帯電話機に限定するものではない。補強天板は、箱蓋形状に限定されない。また、各種位置決め壁片も必要に応じて削除できる。
【図面の簡単な説明】
【００４２】
【図１】この発明の第１実施例に係る折畳式携帯電話機の表側外観構成を示す斜視図である。
【図２】同携帯電話機の裏側外観構成を示す斜視図である。
【図３】同携帯電話機の裏側外観構成を一部分解して示す分解斜視図である。
【図４】この発明の第１実施例に係る同携帯電話機の下部筐体を構成するケースの構成を示す斜視図である。
【図５】この発明の第１実施例である外部接続コネクタの補強構造を分解して示す概略構成図で、同携帯電話機に組み込まれる外部接続コネクタの補強構造を示す分解斜視図である。
【図６】同外部接続コネクタの補強構造に用いられる補強板金の構成を上方（表面側）から見た斜視図である。
【図７】同補強板金の構成を下方（裏面側）から見た斜視図である。
【図８】同外部接続コネクタの補強構造を示す平面図である。
【図９】図８のＡ−Ａ線に沿う同外部接続コネクタの補強構造を示す断面図である。
【図１０】図８のＢ−Ｂ線に沿う同外部接続コネクタの補強構造を示す断面図である。
【図１１】図８のＣ−Ｃ線に沿う同外部接続コネクタの補強構造を示す断面図である。
【図１２】図８のＤ−Ｄ線に沿う同外部接続コネクタの補強構造を示す断面図である。
【図１３】この発明の第２実施例である外部接続コネクタの補強構造に用いられる補強板金の構成を上方（表面側）から見た斜視図である。
【図１４】同補強板金１５Ａの構成を下方（裏面側）から見た斜視図である。
【図１５】この発明の第３実施例である外部接続コネクタの補強構造を部分的に示す部分断面図である。
【符号の説明】
【００４３】
１        携帯電話機（電子機器）
３        下部筐体（筐体）
８        電池パック
９、９ａ        ケース（筐体の一部）
１１        開閉蓋（筐体の一部）
１２        電池パック収納部（バッテリ収納部）
１３        外部接続コネクタ
１３ａ        外部接続コネクタの差込口
１４        外部接続コネクタの補強構造
１５、１５Ａ、１５Ｂ        補強板金
１５１        天板部
１５２        目隠し壁片
１５３        端部壁片（位置決め壁片）
１５４        前壁片（位置決め壁片）
１５４ａ        前側切欠き
１５４ｂ        前向き突起
１５５、１５５ａ        固定部
２６ａ        ネジ締め
２７ａ        被係止穴
２７ｂ        係止爪
１６        コネクタ実装基板１６（コネクタまわりの配線部）
１７        シリコンマイク（コネクタまわりの配線部）
１９        スタッキングコネクタ（コネクタまわりの配線部）
２１        基板収納部
２２        前端側壁部（筐体の壁部、コネクタ実装部）
２２ａ        嵌合用切欠き
２２ｂ        係止穴
２３、２３ａ      圧着突起（下向き凸部、第１の下向き凸部、断面小円状の突起）
２４        係止突起（下向き凸部、第２の下向き凸部、断面小円状の突起）
２５        凸段部（下向き凸部、第３の下向き凸部、断面短冊状の凸部）
【図１】
2008199229.tif 000003
【図２】
2008199229.tif 000004
【図３】
2008199229.tif 000005
【図４】
2008199229.tif 000006
【図５】
2008199229.tif 000007
【図６】
2008199229.tif 000008
【図７】
2008199229.tif 000009
【図８】
2008199229.tif 000010
【図９】
2008199229.tif 000011
【図１０】
2008199229.tif 000012
【図１１】
2008199229.tif 000013
【図１２】
2008199229.tif 000014
【図１３】
2008199229.tif 000015
【図１４】
2008199229.tif 000016
【図１５】
2008199229.tif 000017